(57)【要約】【課題】植物の順調な成長を促進するトータルバランスに優れた肥料組成物、特に、天然ゴムの木の栽培用に好適な肥料組成物及び天然ゴムの木の栽培方法を提供する。【解決手段】窒素、リン、カリウム、カルシウム、マグネシウムの５元素を含み、窒素元素の含有量を１００とした時の酸化物換算したカルシウムの含有量が５０以下であることを特徴とする肥料組成物。上記肥料組成物が天然ゴムの木用の肥料組成物であることが好ましい。また、本発明の天然ゴムの木の栽培方法は、上記肥料組成物を用いることを特徴とする。【選択図】  なし【特許請求の範囲】
【請求項１】
窒素、リン、カリウム、カルシウム、マグネシウムの５元素を含み、窒素元素の含有量を１００とした時の酸化物換算したカルシウムの含有量が５０以下であることを特徴とする肥料組成物。
【請求項２】
窒素元素の含有量を１００とした時の酸化物換算したリンの含有量が５０以上であることを特徴とする請求項１記載の肥料組成物。
【請求項３】
窒素元素の含有量を１００とした時の酸化物換算したカリウムの含有量が５０以上であることを特徴とする請求項１又は２に記載の肥料組成物。
【請求項４】
窒素元素の含有量を１００とした時の酸化物換算したマグネシウムの含有量が３０以下であることを特徴とする請求項１〜３の何れか一つに記載の肥料組成物。
【請求項５】
請求項１〜４の何れか一つに記載の肥料組成物が天然ゴムの木用の肥料組成物であることを特徴とする肥料組成物。
【請求項６】
請求項１〜４の何れか一つに記載の肥料組成物を用いることを特徴とする天然ゴムの木の栽培方法。
【発明の詳細な説明】
【０００１】
【発明の属する技術分野】
本発明は、天然ゴムの木などを始めとする農園芸用植物の肥料に好適な肥料組成物及び天然ゴムの木の栽培方法に関する。
【０００２】
【従来の技術】
従来より、肥料には、数多くの種類の肥料が知られている。植物の三大必要要素といわれている窒素、リン、カリウムに、カルシウム、マグネシウム、更に微量元素を合わせ持つ肥料は、トータルバランスで優れているものである。
【０００３】
一般に、熱帯プランテーションでは、始めにドロマイト等でマグネシウム、カルシウムを施肥し、このうち三大必要肥料である、窒素、リン、カリウムを含む肥料を追肥する形が一般的である。天然ゴムの農園も同様に、この窒素、リン、カリウムを含む肥料を追肥している。
【０００４】
しかしながら、一般的に推奨されている肥料組成を用いると、ある植物種に対して、例えば、天然ゴムの木では、初期段階の成長は問題ないが、半年ほど経過すると成長が遅れるという課題が生じることが判った。本発明者らは、これを詳細に分析したところ、土中のカルシウム分の蓄積が認められた。通常の肥料設計において、カルシウム分はリン酸、硝酸のカウンターイオンとして特に意識せずに使用しているものである。そのため、通常の肥料においてはカルシウム分の過多状態になりやすく、天然ゴムの木等の植物の成長を阻害していることが判った。
【０００５】
一般に、農園芸用の植物に対して、必要な肥料を必要な時期に施肥することは基本であり、このため偏りのないトータルバランスが良好な肥料組成物が熱帯プランテーション等を始めとする植物の栽培にも必要である。特に、土から肥料の流亡が多い熱帯においては、初期の施肥の効果が直ぐに低下するため、肥料組成のバランスは重要となり、トータルバランスに優れた肥料組成物の出現が切望されているのが現状である。
【０００６】
【発明が解決しようとする課題】
本発明は、上記従来の課題及び現状等に鑑み、これを解消しようとするものであり、順調な植物の成長を促進するトータルバランスに優れた肥料組成物、特に、天然ゴムの木の栽培用に好適な肥料組成物及び天然ゴムの木の栽培方法を提供することを目的とする。
【０００７】
【課題を解決するための手段】
本発明者らは、上記従来の課題等について、鋭意検討した結果、肥料組成物において、５元素を含む肥料系で相対的にカルシウム量を特定量以下に減らした肥料組成とすることにより、上記目的の肥料組成物及び天然ゴムの木の栽培方法を得ることに成功し、本発明を完成するに至ったのである。
すなわち、本発明は、次の（１）〜（６）に存する。
（１）  窒素、リン、カリウム、カルシウム、マグネシウムの５元素を含み、窒素元素の含有量を１００とした時の酸化物換算したカルシウムの含有量が５０以下であることを特徴とする肥料組成物。
（２）  窒素元素の含有量を１００とした時の酸化物換算したリンの含有量が５０以上であることを特徴とする上記（１）記載の肥料組成物。
（３）  窒素元素の含有量を１００とした時の酸化物換算したカリウムの含有量が５０以上であることを特徴とする上記（１）又は（２）に記載の肥料組成物。
（４）  窒素元素の含有量を１００とした時の酸化物換算したマグネシウムの含有量が３０以下であることを特徴とする上記（１）〜（３）の何れか一つに記載の肥料組成物。
（５）  上記（１）〜（４）の何れか一つに記載の肥料組成物が天然ゴムの木用の肥料組成物であることを特徴とする肥料組成物。
（６）  上記（１）〜（４）の何れか一つに記載の肥料組成物を用いることを特徴とする天然ゴムの木の栽培方法。
【０００８】
【発明の実施の形態】
以下に、本発明の実施の形態を詳しく説明する。
本発明の肥料組成物は、窒素、リン、カリウム、カルシウム、マグネシウムの５元素を含み、窒素元素の含有量を１００とした時の酸化物換算したカルシウムの含有量が５０以下であることを特徴とするものである。
【０００９】
本発明では、窒素、リン、カリウム、カルシウム、マグネシウムの５元素を含み、窒素元素の含有量を重量比で１００とした時の酸化物換算したカルシウムの含有量が５０以下である肥料組成物とすることが必要である。
この窒素、リン、カリウム、カルシウム、マグネシウムの５元素の何れか一つ以上を含まない肥料組成物では、目的の天然ゴムの木を始めとする植物の順調な成長を促すことができず、好ましくない。
【００１０】
また、この５元素を含む肥料組成物であっても、窒素元素の含有量を重量比で１００とした時の酸化物換算したカルシウム（ＣａＯ）の含有量が５０を越えるものであると、上記と同様に目的の天然ゴムの木を始めとする植物の順調な成長を促すことができず、好ましくない。
好ましくは、天然ゴムの木を始めとする植物の更なる順調な成長を促すこと点から、窒素元素の含有量を重量比で１００とした時の酸化物換算したカルシウム（ＣａＯ）の含有量を５〜５０とすることが望ましい。
【００１１】
本発明の肥料組成物としては、具体的には、上記５元素の窒素源、リン源、カリウム源、カルシウム源、マグネシウム源となる各肥料成分を混合し、かつ、これらの混合成分において、窒素元素の含有量を重量比で１００とした時の酸化物換算したカルシウム（ＣａＯ）の含有量を５０以下に調製することにより得ることができる。
窒素源となる肥料成分としては、例えば、硫酸アンモニア、塩化アンモニウム、硝酸アンモニウム、硝酸アンモニウムナトリウム等のアンモニア態窒素を含有する肥料、尿素などの尿素態窒素を含有する肥料、硝酸ナトリウムなどの硝酸態窒素を含有する肥料などが挙げられる。
【００１２】
リン源となる肥料成分としては、例えば、リン酸第一アンモニウム、リン酸第ニアンモニウム、リン酸第一カリウム、リン酸第ニカリウム、過リン酸石灰、重過リン酸石灰、熔成リン肥、焼成リン肥、リン酸苦土、副産リン酸などが挙げられる。
カリウム源となる肥料成分としては、例えば、硫酸カリウム、塩化カリウム、硫酸カリウム苦土、重炭酸カリウム、粗製カリウム塩、液体珪酸カリウム、副酸カリウム、混合カリウムなどが挙げられる。
【００１３】
カルシウム源となる肥料成分としては、例えば、生石灰、消石灰、硫酸カルシウム、炭酸カルシウム、塩化カルシウム、硝酸カルシウムなどが挙げられる。
マグネシウム源となる肥料成分としては、例えば、酸化マグネシウム、硫酸マグネシウム、硝酸マグネシウム、塩化マグネシウムなどが挙げられる。
その他の肥料成分としては、例えば、塩化アンモニウム、硝酸アンモニウム、硝酸アンモニウムナトリウム等のアンモニア態窒素を含有する肥料、尿素などの尿素態窒素を含有する肥料、硝酸ナトリウムなどの硝酸態窒素を含有する肥料が挙げられる。
なお、本発明では、上記５元素以外に、本発明の効果を損なわない範囲で、ホウ酸肥料、ホウ酸塩肥料などのホウ素質肥料成分、珪酸質肥料成分、または、マンガン、アルミニウム、鉄、亜鉛、モリブテン等の金属成分等を適宜含有してもよい。
【００１４】
本発明では、上記５元素を含み、窒素元素の含有量を重量比で１００とした時の酸化物換算したカルシウムの含有量が５０以下とする肥料組成物とすることにより、目的の効果を発揮できるものであるが、更に、順調な植物の成長を促進するトータルバランスに更に優れた肥料組成物を得る点から、下記▲１▼〜▲３▼の条件の少なくとも１つ以上を満足する肥料組成物とすることが望ましい。
▲１▼窒素元素の含有量を重量比で１００とした時の酸化物換算したリン（Ｐ２Ｏ５）の含有量を５０以上、好ましくは、７０〜２００とすることが望ましい。
▲２▼窒素元素の含有量を重量比で１００とした時の酸化物換算したカリウム（Ｋ２Ｏ）の含有量を５０以上、好ましくは、７０〜２００とすることが望ましい。
▲３▼窒素元素の含有量を重量比で１００とした時の酸化物換算したマグネシウム（ＭｇＯ）の含有量を３０以下、好ましくは、５〜３０とすることが望ましい。
【００１５】
このように構成される本発明の肥料組成物は、５元素を含む肥料系で相対的にカルシウム量を減らした最適化した肥料組成を示すものであり、これは天然ゴムの木を始めとする植物に対して順調な成長を促す肥料組成を示すものとなる。この肥料組成物は、そのまま施肥しても、また液体肥料としても同様の効果を得ることができる。
【００１６】
本発明の肥料組成物が適用できる植物としては、従来から栽培されている農園芸用の植物の全てを包含するものであり、具体的には、野菜、果樹、花卉、観葉植物、天然ゴムの木などを挙げることができる。特に、本発明では、熱帯地区などでの天然ゴムの木（Ｈｅｖｅａ  ｂｒａｓｉｌｉｅｎｃｅ）の栽培（育成）に好適な肥料組成物となるものである。
【００１７】
また、本発明の肥料組成物の使用量は、植物の種類や生育状況、肥料に含まれる組成、気象条件、土壌の電気伝導度やｐＨ等の各種条件に応じて適宜好適な量が選択される。通常、１日当たり、植物１株つき、肥料組成物の窒素量が５重量％の場合、０〜２０ｇ程度とすればよい。
【００１８】
次に、本発明の天然ゴムの木の栽培方法は、上記構成の肥料組成物を用いることを特徴とするものであり、これにより、カルシウム分の過多状態を生じることがなくなり、すなわち、天然ゴムの木の成長の阻害要因を除去できるので、天然ゴムの木の順調な成長を発揮せしめることができることとなる。
本発明の肥料組成物を用いて天然ゴムの木を栽培する場合においては、熱帯地区の乾季において有効な上記組成の肥料組成物の使用量として、好ましくは、植付けから１年が肥料組成物の窒素量が５重量％の場合、０〜１０ｇ／回で毎日が良い。
施肥法としては、例えば、手でそのまま又は液体肥料として施肥をする方法、液体肥料としたものを定量ポンプを使用して給水チューブから施肥する方法、液体肥料として素焼き板等を通じて土に接触させ徐々に土に吸収させる方法等が挙げられる。
【００１９】
【実施例】
次に、比較例及び実施例により、本発明を更に詳細に説明するが、本発明は下記実施例に限定されるものではない。
【００２０】
【実施例】
次に、比較例及び実施例により、本発明を更に詳述するが、本発明は下記実施例に限定されるものではない。
【００２１】
〔実施例１〜３及び比較例１〕
土の替わりにロックウールを充填したプラスチック鉢に天然ゴムの木（Ｈｅｖｅａ  ｂｒａｓｉｌｉｅｎｃｅ、パラゴムノキ）を定植した。
この天然ゴムの木のポットに対して、下記表１に示す配合成分を水１０００リットルに溶かして、全窒素量を１００ｐｐｍに合わせた液体肥料を１日４００ｃｃ施肥し、各試験区には１０本の苗を使用し、それらの平均成長を比較した。
なお、この実施場所は、２０００年１月からインドネシア南カリマンタン州にて、透明ビニールの屋根の下に鉢を設置して試験を実施した。
この結果を図１に示す。
【００２２】
【表１】
2004210590.tif 000002
【００２３】
図１の結果から明らかなように、比較例１は実施例１〜３と初期の成長速度は同じであるが、経過時間が経つ毎に成長が鈍くなっていることが判明した。従って、本発明範囲となる実施例１〜３の肥料組成物は、天然ゴムの木の順調な成長を促すことが判った。
【００２４】
【発明の効果】
本発明によれば、植物の順調な成長を促進するトータルバランスに優れた肥料組成物、特に、天然ゴムの木の栽培用に好適な肥料組成物及び天然ゴムの木の栽培方法が提供される。
【図面の簡単な説明】
【図１】実施例１〜３及び比較例１の天然ゴムの木の成長を示すグラフである。
【図１】
2004210590.tif 000003